(57)【要約】【課題】検体の標本情報を二次元コードに記録して、その基本的な情報を音声変換することにより、検体情報を音声にて作業者に通知し、取り違え等を防止するシステム。【解決手段】標本に関する病理診断施設の病理番号を含む情報を入力する標本情報入力部と、前記標本情報入力部により入力された標本情報を二次元コードに記録する標本情報記録部と、前記標本情報記録部により記録された標本情報を標本データとして二次元コードとして出力する標本データ出力部と、前記標本に付与された二次元コードの標本データを光学的な手段で読み取る標本データ読み取り部と、前記標本データに基づいて合成音声にて音声変換して音声出力する標本情報音声出力部と、前記標本データ読み取り部で認識された情報を取得して外部に送信する送信部と、  前記標本音声情報と前記標本情報記録部の情報を照合する標本情報照合部と、で構成されており、基本情報を音声にて照合が可能となる。【選択図】図１
2018059727.tif 000002
【特許請求の範囲】
【請求項１】
標本に関する病理診断施設の病理番号を含む情報を入力する標本情報入力部と、
前記標本情報入力部により入力された標本情報を二次元コードに記録する標本情報記録部と、
前記標本情報記録部により記録された標本情報を標本データとして二次元コードとして出力する標本データ出力部と、
前記標本に付与された二次元コードの標本データを光学的な手段で読み取る標本データ読み取り部と、
前記標本データ読み取り部により読み取られた標本データに基づいて合成音声にて音声変換して音声出力する標本情報音声出力部と、
前記標本データ読み取り部で認識された情報を取得して外部に送信する送信部と、
前記標本音声情報と前記標本情報記録部の情報を照合する標本情報照合部と、
を有することを特徴とする、病理診断における検体取り違え防止システム。
【請求項２】
前記標本データとして記録された二次元コードには、病理診断施設の病理番号、患者名の情報及び臓器名がテキスト情報として記録されており、前記テキスト情報は合成音声にて音声変換されて音声出力することを特徴とする請求項１の病理診断における検体取り違え防止システム。
【請求項３】
前記標本データとして記録された二次元コードのサイズは検体標本及びプレパラートに貼り付けられる6ミリ角以下の紙媒体とし、病理検体の受付日、採取日、病理診断施設名、担当医師及び患者の生年月日も記録可能なことを特徴とする請求項１の病理診断における検体取り違え防止システム。
【請求項４】
前記標本データとして記録された二次元コードは、病理診断における取り違え防止システム専用の二次元コードとし、二次元コードの基本的なヘッダー情報を他の二次元コードのヘッダー情報と異なったものとしたことを特徴とする請求項１の病理診断における検体取り違え防止システム。
【発明の詳細な説明】
【技術分野】
【０００１】
本発明は、人体の臓器等から摘出される病理診断における検体に関し、検体用容器に収容された検体の各種情報を管理するシステムを構築して、検体のテキスト情報および音声情報も出力させて、病理診断における検体取り違え防止システムに関する。
【背景技術】
【０００２】
特許文献１に示す通り、病理診断における検体に、ＩＣタグを利用する発明が提案
されている。患者識別情報、検体サンプル瓶、カセット等に５ミリ角程度の大きさのＩＣタグを貼り付けて検体の取り違え防止に適用するものである。
【０００３】
しかしながら、病院では多岐にわたる検査が行われており、それぞれに検体用容器が準備されている。しかし、このような検体用容器全てに高価なＩＣタグを貼り付けて検体管理する方法は非常に高コストであり、全ての病理診断に適用するには困難と思われる。
【先行技術文献】
【特許文献】
【０００４】
【特許文献１】特開２０１３−７２６９３号公報
【特許文献２】特開２０１５−１１４６８０号公報
【特許文献３】特開２０１５−１１４５５９号公報
【発明の概要】
【発明が解決しようとする課題】
【０００５】
上記のような検体用容器にＩＣタグを貼り付けての導入には、高コストを要する。また、高コストを要して導入を行っても、病院では、外来患者および病棟患者を合わせて１ 日に非常に多数の患者の検査を行い、かつ、例えば採血検査では一人の患者について複数の採血管を用いて採血を行うことから、検査に必要な数の検体用容器の全てにICタグを貼り付ける事は経済的にも無理を生じる。
【０００６】
この発明は、上述した従来技術による問題点を解消するため、高コストではなく、検体採取作業の効率向上および取り違い防止を図るとともに検体情報の一元管理を容易に行うことが可能な検体情報管理システムおよび病理診断における検体取り違え防止システムを提供する事を目的とする。
【課題を解決するための手段】
【０００７】
近年の技術革新、特に光学的なセンサー技術および情報処理のプロセッサー技術が旧来の二次元コードの概念を一掃した。例えば、特許文献２および特許文献３に記載された高密度二次元コード(Code-EX)は高密度に情報を記録できるのみならず、音声情報も記録する事が可能となった。
【０００８】
前記高密度二次元コード(Code-EX)はICタグと同程度の大きさで、ICタグと同程度の記録容量が可能となった。２０１６年度の当該特許出願人のデータによると、１８ミリ角の面積で論理計算上約５０００バイトの情報が記録可能と報告されている。また、図４に記載されているように、実際に７．１ミリ角の大きさの記号に約２００バイトのテキストを記録して、携帯電話のカメラで読取が可能と報告されております。しかも、従来の二次元コードと同様のコストで適用が可能であるので、低価格でICタグと同様な情報管理が可能となる。
【０００９】
かかる構成によれば、請求項２のごとく、前記標本データとして記録された高密度二次元コード(Code-EX)には、病理診断施設の病理番号、患者名の情報及び臓器名がテキスト情報として記録させて、前記テキスト情報は合成音声にて音声変換されてバーコードリーダーより音声出力させて検体の確認作業が可能となる。
【００１０】
かかる構成でのバーコードリーダーには、合成音声と音声変換ソフトウェアをインストールすることで、外部に送信する事なしにテキスト表示と同時に音声出力を可能にすることで、検体情報を作業者が作業位置で取得する事が可能となる。
【００１１】
また、かかる構成でのバーコードリーダーには、bluetooth等通信機能も装備して、検体情報をサーバーに送信する機能も持ち、サーバー上でも検体確認がテキストおよび音声にて確認が可能となるので、病理診断における検体取り違え防止システムが提供可能となる。
【００１２】
かかる構成によれば、請求項３のごとく、前記標本データとして記録された高密度二次元コード(Code-EX)のサイズは検体標本及びプレパラートに貼り付けられる6ミリ角以下の紙媒体とし、病理検体の受付日、採取日、病理診断施設名、担当医師及び患者の生年月日も記録可能となるので、ヒューマンエラーを防いで、病理検体および検体情報データベースの高度な管理システム構築にも寄与できる。
【００１３】
また、請求項４のごとく、標本データとして記録された高密度二次元コード(Code-EX)は、病理診断における取り違え防止システム専用の高密度二次元コード(Code-EX)とし、二次元コードの基本的なヘッダー情報を他の二次元コードのヘッダー情報と異なったものとして、専用バーコードリーダー以外の読み取り装置では読取が出来ない構造とすることで、一定のセキュリティーを保持したシステムとする事が可能となった。
【発明の効果】
【００１４】
本発明にかかる病理診断における検体取り違え防止システムによれば、検体管理の仕組みが高密度二次元コード(Code-EX)により安価にかつ効率的に運用が可能となり、病理診断等に携わる各々の作業者の手を特別煩わせることなく的確に検体照合を行える仕組みを新たに提供できる。
【図面の簡単な説明】
【００１５】
【図１】本発明にかかるシステム構成図
【図２】本発明にかかる病理診断支援システム概要図
【図３】検体及び標本照合用タブレットの一形態
【図４】高密度二次元コード(Code-EX)の見本
【発明を実施するための形態】
【００１６】
請求項に係わる発明について、その実施の形態を図面１と図２を参照しながら説明する。
【実施例】
【００１７】
作業効率の向上、検体や標本の取り違え防止の観点から病理診断業務に特化したシステムを構築し、業務の大幅な改善を行い、病理診断施設経営の効率化を図る。システムは病理における受付業務から報告書作成、請求書発行までの一連の流れをサポートしたシステムとし、検体の取り違いや入力ミスが起こりにくいシステムとする。
【００１８】
まず、受付業務は１の受付業務用パソコンにて、受付日ごとのオーダーの一覧、患者を切り口にした一覧表として、組織診、細胞診の受付登録を行い、カルテ番号も記録して、依頼状のスキャン画像、検体の切り出しマーカー画像の登録を行い、登録情報を高密度二次元コード（Code-EX）に記録して、７のCode-EX用のラベルプリンターより情報が記録された高密度二次元コード(Code-EX)としてラベル出力される。
【００１９】
前記７のCode-EX用のラベルプリンターより出力された高密度二次元コード(Code-EX)は、関連付けのために依頼状、検体及び標本に貼り付けられる。
【００２０】
８の検鏡用パソコン、９の報告書作成・請求書発行用パソコンおよび２の報告書・請求書用プリンターは３のHUBによりネット接続されている。
【００２１】
次に標本作成作業となり、検体写真及び切り出し写真を記録して、そのイメージを１の受付業務用パソコン及び８の検鏡用パソコンに記録して、高密度二次元コード(Code-EX)に関連タグ付けされて記録される。また、５のCode-EX用専用バーコードリーダーにより検体及び標本に貼り付けられた高密度二次元コード(Code-EX)を読み取り、１０の検体・標本照合用タブレットにより検体・標本（プレパラート）の照合確認を行う。
【００２２】
次に顕微鏡で行う検鏡となり、まず依頼状と標本に貼り付けられた高密度二次元コード(Code-EX)を５のCode-EX用専用バーコードリーダーにて依頼状と標本の照合を行い、診断者の検鏡により病名、部位判定、所見の入力を８の検鏡用パソコンに行う。
【００２３】
前記検鏡作業が終了した後に、報告書作成及び請求書請求業務であるが、その作業の前に再度依頼状と標本の高密度二次元コード(Code-EX)を５のCode-EX用専用バーコードリーダーにて読み取りを行い、１０の検体・標本照合用タブレットにて最終確認をする。
【００２４】
上記の全ての確認作業後に、９の報告書作成・請求書発行用パソコンから２の報告書・請求書用プリンターより印刷されて送付される手順である。
【産業上の利用可能性】
【００２５】
この発明によれば、高密度二次元コード(Code-EX)を活用した、検体や標本の取り違え防止の観点から病理業務に特化したシステムを構築し、業務の大幅な改善を行い、病理診断施設経営の効率化を図る。システムは病理における受付業務から報告書作成、請求書発行までの一連の流れをサポートしたシステムとし、検体の取り違いや入力ミスが起こりにくいシステムとして、ICタグ等の高コストなシステムではなくて、安価に効率的な運用が可能なシステムを提供できる。
【符号の説明】
【００２６】
１       受付業務用パソコン
２       報告書・請求書用プリンター
３       HUB
４       プリンターより出力された報告書及び請求書
５      高密度二次元コード(Code-EX)用専用バーコードリーダー
６       依頼元より提供された検体
７    高密度二次元コード(Code-EX)用のラベルプリンター
８    検鏡・報告書作成・請求書発行用パソコン用パソコン
９    検体・標本照合用タブレット
１０    ７の高密度二次元コード(Code-EX)用ラベルプリンターより印刷されたCode-EXのイメージ図
【図１】
2018059727.tif 000003
【図２】
2018059727.tif 000004
【図３】
2018059727.tif 000005
【図４】
2018059727.tif 000006